(57)【要約】【課題】靴べらが見あたらないところで靴を履く場合には、靴べらを持ってきてもらうまで待ったり、手の指で補助して靴を履いたり、靴紐を一旦緩め締め直して靴を履くなど手間をかけていた。また、靴のつま先や踵などを地面に押し付けまたは打ち付けて靴を履くこともあり、靴を傷めることもしていた。従来の携帯用靴べらも固定成形または加工されているため、所持に違和感があった。より容易く靴べらが利用できるよう紙製品を提供する。【解決手段】紙を材料としたシート体であって、靴べらの形状になるよう折り部または切り部を設けたことを特徴とする紙製品である。【選択図】図１
2009172324.tif 000002
【特許請求の範囲】
【請求項１】
紙を材料としたシート体であって、靴べらの形状になるよう折り部または切り部を設けたことを特徴とする紙製品。
【発明の詳細な説明】
【技術分野】
【０００１】この発明は、紙を材料としたシート体であって、靴べら形状になるよう折り部または切り部を設けた紙製品に関するものである。
【技術背景】
【０００２】従来の靴べらは、プラスチック・木・金属などの材料を、足の踵形状に合わせた溝を持つ形に成形または加工したものとなっていた。
【発明の開示】
【発明が解決しようとする課題】
【０００３】これには、次のような欠点があった。靴べらは、溝を持つ形に硬く成形または加工されているため、小型でも携帯に違和感があり所持しない人が多い。従って、靴べらが見あたらないところで必要とする際には、靴べらを持ってくるまで待っていた。または、手の指で補助しながら靴を履くことや、靴紐を一旦緩め締め直して靴を履くなど手間をかけていた。また、靴のつま先や踵などを地面に押し付けまたは打ち付けて靴を履くこともあり、その場合には靴を傷めることになっていた。
本発明は、以上のような欠点をなくすためになされたものである。
【課題と解決するための手段】
【０００４】本発明は、紙を材料としたシート体であって、靴べらの形状になるよう折り部または切り部を設けたことを特徴とする紙製品である。
【発明の効果】
【０００５】本発明は、このような製品であるため、以下の効果がある。（１）靴べらを利用したいときの利用率を増加させることができる。これは本発明が、利用場所に手軽に備えることができるものであったり、より手軽に携帯できるものであるという理由による。（２）さらに、紙製品の本来利用目的を超え、靴べらとして利用できる機能を付加する場合には、利用者へのサービス向上が図れるという効果もある。この場合、紙資源を有効利用していることにもなる。
【発明を実施するための最良の方法】
【０００６】以下、本発明を実施するための最良の形態について説明する。
図１は、長尺シート状で、両端を重ねた際に先端部分が靴べら形状となるような切取線（１）と、紙製品の両端が適度にズレた状態で重なり合うように長尺方向に対し垂直ではなく斜め角度とした山折線（２）と、重なった両端が踊らないように挟み込むための切込線（３）を設けた紙製品の例である。図２は、図１の紙製品を、切取線（１）に従い切り取り、山折線（２）に従い折り込み、切込線（３）に従い切り込みを入れ重なった両端の一方を挟み込ませ、平面的に靴べら形状に近づけた例である。
【０００７】図３は、直線ではなく円弧状の山折線（４）とした場合の紙製品の例である。図４は、その山折線（４）に従って折り込むことで、湾曲した緩やかな溝が靴べらとして利用する際の手持ち部分に現れたものである。使用する際には、手持ち部分の湾曲が先端部分に影響を及ぼし、全体が湾曲形状となる。従来の靴べらに近い形状が実現できる。図５は、長尺方向の長さが短い場合の紙製品の例である。靴べら形状とする切取線（５）と円弧状の山折線（６）を設け、それに合わせ切り折りすることで図６のような靴べら形状の紙製品となる。靴べらとして利用する際の手持ち部分から湾曲した緩やかな溝が現れる。
【０００８】図７は、短尺方向の幅が広めである場合の紙製品の例である。先端を靴べら形状にすることと先端の重なりを少なくするための切取線（７）と、幅広を畳みこむための山折線（８）と、折り畳んだ状態で靴べらとして利用する際の手持ち部分を湾曲させるための円弧状の山折線（９）と円弧状の谷折線（１０）を設けた。図８は組み立てた例である。
【０００９】本発明の紙製品で作られる靴べらは、紙製品の大きさや形状、強度などにあわせ、切取形状や切取箇所、切込形状や切込箇所、折り形状や折込箇所などの紙工作方法を組合せることで、様々な形状となる。
折り部または切り部の表示方法として、各種の線、配色、文字、組立図などを印刷して表現する方法がある。また印刷表現だけではなく、ミシン目、カット線加工、紙罫線加工などを施すこともよい。
切り取り部分は、紙製品の製造段階でカットしておくのもよい。製造コスト的に問題がなければ、紙資源の節約にもなる。
【実施例】
【００１０】箸やスプーン・フォークなどの箸袋がある。食事場所に座敷を利用する際には靴を脱ぐ。特に大勢での宴会や食事では、帰りの際に靴べら不足が発生している場合が多い。実施例は、図１または図３のような箸袋である。箸袋の長さや幅、強度に合わせ、袋状のまま切り部または折り部を設けてよい。また袋状を一旦解体し、その状態で切り部または折り部が表示されることでもよい。通常は使い捨てされる箸袋などではあるが、本発明を利用することで、店舗イメージ向上などに繋がる。【００１１】名刺での実施例がある。ビジネスで活用する名刺であり、自己紹介をした後は、保管されたままの名刺が多い。特に営業マンが持つ名刺は、客の目に頻度高く露出させたいものである。例えば、図５のように紙靴べら機能を持たせることができる。客の当該名刺携帯率が高くなり、靴べらが必要な際に使われる。話題ともなり、客とのコミュニケーション向上に繋がる。【００１２】また、特に足まわり関連製品などのＰＲチラシやＤＭはがきへの利用がある。ＰＲチラシに、図１、図３、図５などのように紙靴べらの機能を付加したり、ＤＭはがきに図７などのように紙靴べらの機能を持たせるとよい。見込客や購入客に対し、足まわり関連製品を大切にするメッセージが伝わる。ＰＲ効果の拡大に繋がる。
また、本発明の紙製品を、靴販売店などでの単体販促品とすることもできる。
関連雑誌などに、紙靴べらペーパークラフトのページなどとして挿入してもよい。
形状的には、本のしおりなどへの利用もできる。
【産業上の利用可能性】
【００１３】本発明に係る紙製品は、工業的に量産することが可能であるため、産業上の利用可能性を有する。
【図面の簡単な説明】
【００１４】
【図１】  本発明の例、切取線と山折線と切込線のある紙製品の斜視図である。
【図２】  図１で作られた紙靴べらの斜視図である。
【図３】  本発明の例、図１の山折線を円弧状にした紙製品の斜視図である。
【図４】  図３で作られた紙靴べらの斜視図である。
【図５】  本発明の例、長尺方向の長さが短く、切取線と円弧状の山折線のある紙製品の斜視図である。
【図６】  図５で作られた紙靴べらの斜視図である。
【図７】  本発明の例、短尺方向の幅が広く、切取線と円弧状の山折線と谷折線のある紙製品の斜視図である。
【図８】  図７で作られた紙靴べらの斜視図である。
【符号の説明】
【００１５】  １    切取線
２    山折線
３    切込線
４    円弧状の山折線
５    切取線
６    円弧状の山折線
７    切取線
８    山折線
９    円弧状の山折線
１０  円弧状の谷折線
【図１】
2009172324.tif 000003
【図２】
2009172324.tif 000004
【図３】
2009172324.tif 000005
【図４】
2009172324.tif 000006
【図５】
2009172324.tif 000007
【図６】
2009172324.tif 000008
【図７】
2009172324.tif 000009
【図８】
2009172324.tif 000010